(57)【特許請求の範囲】
【請求項１】
非接触のカードの内部データを読み込む及びデータを書き込みするための非接触の検出装置と、該非接触の検出装置とは分割されて、その近傍に配置された改札機とからなる複数の改札ゲートと、これらの改札ゲートと通信網を介して接続され、かつこれらの改札ゲートを監視しながら制御するゲートコントローラとを備えた改札システムであって、
前記非接触のカードは、
少なくとも、大人又は子供の種別と一日券又は一回券の券種コードと会社コードと使用実績データとを前記内部データとしてメモリに記憶し、この内部データを前記非接触の検出装置からの電波で送信する手段
を有し、
前記ゲートコントローラは、
前記改札ゲートの改札機に対して、該改札ゲートの運用形態を決める第１の基本データを送信して、この改札ゲートの改札状況を転送させる動作状態要求を送信する手段
を有し、
前記非接触の検出装置は、
前記被検出体の検出を人体検出器によって検出して前記改札機に送信して、前記改札機からの指示に基づいて、電波を放射して被検出体が担持している非接触のカードの内部データを第２の基本データとして読み取り、前記改札機に送信及び前記データを書き込みする手段と
を有し、
前記改札機は、
１回券の磁気カードを挿入させるための挿入口を設け、該挿入口からの磁気カードを内部に搬送させて該磁気カードのデータを読み込むカードリーダ部及び警告手段、カード収納部並びに阻止棒を備え
該カードリーダ部からの前記磁気カードのデータが利用可能な１回券の場合は、使用済みをその磁気カードに書き込み、前記カードリーダ部によって搬送させて前記カード収納部に投函させる手段と、
前記ゲートコントローラからの前記第１の基本データを記憶して、前記動作状態運用要求の受信に伴って、当該改札機の状況を前記ゲートコントローラに送信する手段と、
前記非接触の検出装置からの前記第２の基本データと前記記憶している第１の基本データとを比較して前記非接触のカードが利用可能かどうかを判定する手段と、
前記非接触のカードが利用可能な場合は、前記非接触のカードの使用実績を更新したデータを前記非接触の検出装置に送信して前記書き込みさせて、前記阻止棒を開放し、また前記１回券の磁気カードが利用可能な場合は、前記阻止棒を開放する手段と、
前記１回券の磁気カード又は前記非接触のカードが利用不可能な場合は、前記警告手段で利用できないことを通知させると共に前記阻止棒を閉位置にする手段と
を有することを特徴とする改札システム。
【発明の詳細な説明】
【０００１】
【発明の属する技術分野】
本発明は、遊技場、スキー場等において、遊技者を一人づつ改札させながら外部から改札状況を監視する改札システムに関する。
【０００２】
【従来の技術】
スキー場等の遊技場においては、リフト、ゴンドラ等の改札ゲートは非常に混雑する。この混雑を整理してスキーヤの流れを円滑にするために改札ゲートには係員が配置されている。この係員は改札ゲートに来るスキーヤを監視しながら腕等に担持されたリフト券カードの券種、有効期間等を確認して改札ゲートを通過させていた。
【０００３】
しかし、このような改札業務は、冬季の野外という悪環境下での業務であり、しかも単純作業であるため係員にとっては非常に辛い仕事であった。
【０００４】
このようなことから、近年は、電波を放射して非接触のＩＣカードの内部データを受信又は所望のデータを書き込むアンテナ部と、受信した内部データを解析してゲートを開閉する改札機とを一体化した改札システムが配置されるようになって来た。
【０００５】
【発明が解決しようとする課題】
しかしながら、アンテナ部と改札機とが一体化されているので、スキーヤの検出タイミングとゲートの開閉タイミングを適切に合わせることが容易ではないという問題点があった。
【０００６】
また、スキー場又はこのスキー場を管理する会社によってアンテナ部又は改札機の仕様を変更しなければならない場合がある。ところが、従来の改札システムはアンテナ部と改札機とが一体化されているので、いずれか一方の仕様の変更に対しても、改造は全体にかかるという問題点があった。
【０００７】
本発明は以上の問題点を解決するためになされたもので、アンテナ部と改札機とを分離してゲートの開閉タイミングをスキーヤの通過に合わせることができる改札システムを得ることを目的とする。
【０００８】
本発明の改札ゲートは、非接触のカードの内部データを読み込む及びデータを書き込みするための非接触の検出装置と、該非接触の検出装置とは分割されて、その近傍に配置された改札機とからなる複数の改札ゲートと、これらの改札ゲートと通信網を介して接続され、かつこれらの改札ゲートを監視しながら制御するゲートコントローラとを備えた改札システムである。
前記非接触のカードは、
少なくとも、大人又は子供の種別と一日券又は一回券の券種コードと会社コードと使用実績データとを前記内部データとしてメモリに記憶し、この内部データを前記非接触の検出装置からの電波で送信する手段
を有する。
前記ゲートコントローラは、
前記改札ゲートの改札機に対して、該改札ゲートの運用形態を決める第１の基本データを送信して、この改札ゲートの改札状況を転送させる動作状態要求を送信する手段
を有する。
前記非接触の検出装置は、
前記被検出体の検出を人体検出器によって検出して前記改札機に送信して、前記改札機からの指示に基づいて、電波を放射して被検出体が担持している非接触のカードの内部データを第２の基本データとして読み取り、前記改札機に送信及び前記データを書き込みする手段と
を有する。
前記改札機は、
１回券の磁気カードを挿入させるための挿入口を設け、該挿入口からの磁気カードを内部に搬送させて該磁気カードのデータを読み込むカードリーダ部及び警告手段、カード収納部並びに阻止棒を備え
該カードリーダ部からの前記磁気カードのデータが利用可能な１回券の場合は、使用済みをその磁気カードに書き込み、前記カードリーダ部によって搬送させて前記カード収納部に投函させる手段と、
前記ゲートコントローラからの前記第１の基本データを記憶して、前記動作状態運用要求の受信に伴って、当該改札機の状況を前記ゲートコントローラに送信する手段と、
前記非接触の検出装置からの前記第２の基本データと前記記憶している第１の基本データとを比較して前記非接触のカードが利用可能かどうかを判定する手段と、
前記非接触のカードが利用可能な場合は、前記非接触のカードの使用実績を更新したデータを前記非接触の検出装置に送信して前記書き込みさせて、前記阻止棒を開放し、また前記１回券の磁気カードが利用可能な場合は、前記阻止棒を開放する手段と、
前記１回券の磁気カード又は前記非接触のカードが利用不可能な場合は、前記警告手段で利用できないことを通知させると共に前記阻止棒を閉位置にする手段とを備えたことを要旨とする。
【０００９】
請求項１においては、被検出体がいずれかの改札ゲートの非接触の検出装置に来ると、この非接触の検出装置が分割された一対の改札機に被検出体の検出を知らせる。
【００１０】
このとき、改札機は非接触の検出装置とは分離されて近傍に配置されているので、被検出体を非接触の検出装置に位置させた状態でゲートコントローラから転送された基本データに基づいて被検出体が担持している非接触の記録媒体の内部データを判定して通過又は阻止の改札を行うと共に、このときの改札状況をゲートコントローラに転送する。ゲートコントローラは改札状況を表示して現在の改札状況を把握することが可能となる。
【００１１】
請求項２は、改札機は、被検出体の押圧に対して所定角度範囲で追動する阻止棒を、被検出体が当該機の後方に向かう経路を阻止する方向に取り付け、被検出体の通過を許可したときは阻止棒を前記経路から排除し、また被検出体が当該機を出たときは阻止棒を経路を阻止する方向に復帰させることを要旨とする。
【００１２】
請求項２においては、被検出体が非接触の検出装置の検出器により検出されると、その非接触の検出装置に対応する改札機が被検出体が担持している非接触の記録媒体の内部データを非接触の検出装置から送出させ、この内部データをゲートコントローラからの基本データと比較して判定する。
【００１３】
そして、この判定結果に基づいて、阻止棒を被検出体の経路から排除又は阻止する方向に位置させる。
【００１４】
請求項３は、改札機は、複数の磁気表示器を平板に鋸歯状に直線的に配列した磁気表示部を、被検出体の通過経路側に表示面を向けて回動自在に設けていることを要旨とする。
【００１５】
請求項３においては、被検出体が通過する経路に対して磁気表示器部を所定角度動かすだけで被検出体は複数の磁気表示器を容易に見ることが可能となる。
【００１６】
請求項４は、改札機は、改札ゲートを通過する被検出体から見て、非接触の検出装置の後方に、その厚み分、経路側に離され、かつ阻止棒側と非接触の検出装置との間は被検出体の横幅分だけ離されて配置されていることを要旨とする。
【００１７】
請求項４においては、被検出体は非接触の検出装置の位置に来て非接触のカードの内部データを読み取らせると、改札機は被検出体から見て、非接触の検出装置の後方に、その厚み分、経路側に離されていることにより、磁気表示器部の表示内容が容易に分かる。
【００１８】
また、改札機は、阻止棒と非接触の検出装置帽との間隔が被検出体の横幅にされているので、通過許可とした被検出体を阻止棒の手前に一つだけ位置させることができる。
【００１９】
請求項５は、ゲートコントローラは、メモリカードのデータを読み込み又はデータを書込みするメモリカードリーダを備え、このメモリカードリーダへのメモリカードの挿入に伴ってメモリカードのデータである前記第１の基本データ、運用状態要求を改札機に転送することを要旨とする。
【００２０】
請求項５においては、メモリカードのデータを改札ゲートに転送することにより、このメモリカードに使用設備又は当日の業務内容に応じたプログラムを記録した場合は、改札ゲートが使用設備又は当日の業務内容に適した制御を行う。
【００２１】
請求項６は、ゲートコントローラは、改札状況の一種である通過数を集計するときは、複数の改札ゲートの改札機の動作確認を行い、運用を停止している改札機に対して現在までの通過数を会社毎に、かつ券種毎に転送させることを要旨とする。
【００２２】
請求項６においては、通過数の集計要求が入力されると、複数の改札ゲートの内で業務を停止した改札ゲートのみに通過数を要求するので、改札ゲート毎の当日の通過数を正確に把握できる。
【００２３】
また、改札ゲートからの通過数は会社毎に、かつ券種毎に転送されるので、ゲートコントローラの係員は、複数の管理会社が複数の改札ゲートを管理していても、改札ゲート毎に、管理会社毎の通過数及びその券種が分かる。
【００２４】
請求項７は、ゲートコントローラは、改札ゲートが前記非接触のカードの内部データを判定して通過阻止の判定結果を転送してきたとき、通過許可指示が入力されると、その改札ゲートの改札機に対して通過許可を転送することを要旨とする。
【００２５】
請求項７においては、改札ゲートから離れた地点にあるゲートコントローラから強制的に通過を許可できるので、特別に通過を許可しなければならない作業員等を通過させることができる。
【００２６】
【発明の実施の形態】
図１は本実施の形態の改札システムの概略構成図である。図１に示す改札システムは、アンテナを内蔵して非接触のリフト券カード１と通信を行う非接触の検出装置２と、この非接触の検出装置２が受信したリフト券カード１の内部データを解読し、この内部データが正規のデータの場合は所望のデータを非接触の検出装置２を用いて書き込むと共にフラッパ３を開く改札機４とからなる改札ゲート５を複数ゲレンデに配置し、これらの改札ゲート５とは離れた地点に配置（例えば監視小屋）されたゲートコントローラ６がＬＡＮ回線を介して改札ゲート５の改札機３と通信を行って、改札ゲートの５の判定状況、稼働状況、通過人員等の改札状況を把握する。
【００２７】
このような改札システムは、スキー場のゲレンデを管理している会社の集計事務所において係員にメモリカード１０を配布し、係員が監視小屋に配置されたゲートコントローラ７にこのメモリカード１０を挿入し、ゲートコントローラ７を操作してメモリカード１０のデータを転送して改札機５の運用を開始させる。
【００２８】
このメモリカード１０は日常処理用とメンテナンス処理用とがあり、日常処理用は本日の運用形態のプログラムと、稼働状況及び改札ゲート５を通過した通過人員を登録させるための領域とが登録されている。また、メンテナンス用は改札ゲート５のプログラムを書き換えるとき、または稼働バックアップデータの吸い上げに用いられる。
【００２９】
次に、非接触の検出装置２と改札機４との配置関係並びに内部の主要構成を図２、図３及び図４を用いて説明する。
【００３０】
これらの図に示すように改札ゲート５は、非接触の検出装置２と改札機４とがケーブル１２で接続され、メカ的にも電気的にも分離されて非接触の検出装置２が改札機４の手前に、少しずれて配置されている。この非接触の検出装置２と改札機４との間隔は、スキーヤを一人ずつ判定してスムーズに改札するためにスキーヤの人体の幅程度にされている。例えば、非接触の検出装置２の後述する人体検出用センサＢとフラッパ３とは２５０ｍｍ程度になるようにされている。
【００３１】
そして、非接触の検出装置２と改札機４とは、少なくとも以下に説明する構成を有している。
【００３２】
＜非接触の検出装置２の構成＞
非接触の検出装置２は、主要な機能を備えた本体部１５をＦＲＰカバーで覆い２本の支柱１７ａ、１７ｂで支え、この支柱１７ａ、１７ｂの底部を平板１８に固着し、支柱１７ａ側にスキーヤが改札機４にぶつかるのを防止させるための手摺りバー１９が設けられている。
【００３３】
また、本体部１５の内部には、長方形のアンテナ２０（２３０ｍｍ×５８０ｍｍで５回巻き）が取り付けられ、このアンテナの内側に改札機４とケーブル１２を介して通信を行いながらアンテナ２０（コイル２０ともいう）をコントロールするアンテナコントローラ２１と、人体を検出する人体検出センサＡ、Ｂとが設けられている。このアンテナ２０は、６３０ｍｍ程度の立体的な空間の中で所望の電界強度を得る。
【００３４】
＜改札機４の構成＞
改札機４は、主要な機能を備えた本体部２４をＦＲＰカバーで覆い、この本体部２４をスタンド２５で支持している。
【００３５】
この本体部２４には監視小屋に、スキーヤ又は係員が異常を音声で通報するためのインターホン２６と、リフト券カード１の判定結果等を音声でスキーヤに通報するためのスピーカ２７と、阻止棒であるフラッパ３を収納するフラッパ収納口２８と、一回券である磁気カードを挿入させるカード挿入口３０等が設けられている。
【００３６】
さらに、本体部２４の上面には、各表示面が所定角度にされ、かつ取り付け軸を回転可能にした磁気反転表示器部３１が設けられている。この磁気反転表示器部３１には、赤ランプ灯３３と緑ランプ灯３４とが設けられている。
【００３７】
また、本体部２４の内部には、カード挿入口３０からの磁気カードを読み込むカードリーダ部３６と、フラッパ３を制御するフラッパ制御部３７と、各部を制御する主制御部３８等が設けられている。
【００３８】
フラッパ制御部３７は、フラッパ３を円柱状のコイルで連結しているため、スキーヤがフラッパ３を押したとき、３０度程度の範囲で追動し、さらに押されたときは、抑止する反発力を与えながら不正進入検出センサが動作するようにしている。
【００３９】
主制御部３８は、通信処理機能を備え、ゲートコントローラ６からの要求を受信し、この要求コマンドに応じた応答をゲートコントローラ６に転送する。
【００４０】
このゲートコントローラ６からのコマンドが通常の業務開始を示しているときは、非接触の検出装置２の人体検出用センサＡ、Ｂがスキーヤを検出すると、非接触の検出装置２のアンテナコントローラ２１に対して内部データを読み取りさせる信号を送出して内部データを読み、通過可能かどうかを判定する。
【００４１】
そして、通過可能と判定したときは、アンテナコントローラ２１に所定のデータを書込させる書込信号を送出した後にフラッパ制御部３７に対して通過許可信号を送出する。このとき主制御部３８は、リフト券カード１の内部データの度数を減算し、減算した度数を表示制御部３１に送出して磁気反転表示器３５に表示させる。
【００４２】
また、一回券である磁気カード（以下一回券のリフト券カード８という）が挿入口に挿入されると、磁気記録媒体読み取り部であるカードリーダ部３６に取り込み信号を送出して内部に搬送させ、カードリーダ部３６からの一回券のリフト券カード８の内部データを判定し、通過可能な一回券の場合は使用済みコードを書込させてカード収納部に投函させると共に、フラッパ制御部３７に通過許可信号を送出する。
【００４３】
さらに、読み込んだこれらのカードが通過許可するカードの場合は、その券種に応じた通過人数を累積する。
【００４４】
また、主制御部３８は、ゲートコントローラ６からの時刻、判定するリフト券カードの基本データ、フラッパ制御のコマンド等を受信し、かつ稼働状況を所定の形式でゲートコントローラ６に転送する通信機能を備えている。さらに、主制御部３８にはエラーの種類を表示させるためのＬＣＤと、フラッパ強制解放ＳＷ１と、システムリセットＳＷ２とが取り付けられている。さらに、退出検出用のセンサＣが後部に取り付けられている。
【００４５】
また、非接触の検出装置２及び改札機４は、内部にヒータを備え、電源の投入に伴ってヒータを駆動して内部を所定温度に保つ。
【００４６】
＜ゲートコントローラの構成＞
ゲートコントローラ６は、電源の投入に伴って起動処理を行う。この起動処理はタッチパネル、ＬＡＮ等の初期化を行った後に、挿入されたメモリカード１０の内部データを読み、この内部データに基づいて後述する日常業務処理又はメンテナンス処理を行う。
【００４７】
日常業務処理は、改札ゲート５を通過するリフト券カード１及び一回券のリフト券カードの内部データを判定するための基本のデータ、タッチパネルのソフトウエアボタンのコマンドを改札ゲート５に転送し、この改札ゲート５からのデータを所定の形式にして表示する。
【００４８】
メンテナンス処理は、改札ゲート５に対してメモりカード１０に記憶されているプログラムを転送又は改札ゲート５のバックアップデータをゲートコントローラ６に転送させる。
【００４９】
＜リフト券カードの説明＞
リフト券カード１は、発振機能と内部メモリを備え、この内部メモリは図５に示すように複数ページ領域に分かれ、１ページ領域（Ｐ１）には基本データが、２ページ領域（Ｐ２）には、使用実績データが書き込まれている。
【００５０】
１ページ領域（Ｐ１）に書き込まれている基本データは、図５に示すようにスキー場コード（１）と、本装置を管理運営している会社の会社コード（２）と、券種コード（３）等からなっている。この券種コード（３）は大人券、子供券、時間券、一日券、期間券、共通券（会社に関係なく全ての設備を使用できる券）、一回券の区別がある。
【００５１】
また、２ページ領域（Ｐ２）に書き込まれる使用実績データは、改札機１のシリアルＮＯ（１２）と、使用度数（１３）と、使用日数（１４）等からなっている。
【００５２】
＜動作説明＞
上記のように構成された改札システムについて以下に動作を説明する。図６はゲートコントローラ６の電源投入時の概略フローチャートである。ゲートコントローラ６は電源の投入に伴って、自己チェックを行い（Ｓ６０１）、チェック結果が良いかどうかを判断する（Ｓ６０２）。ステップＳ６０２で自己チェックの結果が良いと判断したときは、メモリカード１０が挿入されているかどうかを判断する（Ｓ６０３）。
【００５３】
ステップＳ６０３でメモリカード１０が挿入されていないと判断したときは、改札ゲート５に各種コマンドを送信して改札ゲート５を稼働させて各種データを受信する日常業務処理を行う（Ｓ６０５）。
【００５４】
また、ステップＳ６０３でメモリカード１０が挿入されていると判断したときは、記憶されているデータがメンテナンス用を示しているかどうかを判断し（Ｓ６０６）、メンテナンス用ではなく日常業務処理を示しているときは処理をＳ６０５に戻し、またメンテナンス用を示しているときは、そのメモリカード１０に記憶されているプログラムを改札ゲートに転送又は改札ゲート１０のバックアップデータを転送させるメンテナンス処理を行う（Ｓ６０６）。
【００５５】
さらに、ステップＳ６０２で自己チェックの結果が異常と判断したときは、エラー処理を行って（Ｓ６０７）、電源断を待つ（Ｓ６０９）。
【００５６】
すなわち、電源の投入に伴ってメモリカード１０の内部データを改札ゲート５の改札機４に設定している。
【００５７】
次に、日常業務処理を図７のフローチャートに従って説明する。起動に伴って日常業務処理は、メモリカード１０が挿入されているかどうかを判定する（Ｓ７０１）。ステップＳ７０１でメモリカード１０が挿入されていると判断したときは、メモリカード１０の状態が正常か不良かどうかを判定し（Ｓ７０２）、正常と判断したときは、メモリカード１０に書き込まれている改札する本日のリフトの運用形態であるリフト情報が正しいかどうかを判定する（Ｓ７０３）。ステップＳ７０３でリフト情報が正しいと判断したときは、そのリフト名称を表示部に表示し（Ｓ７０５）、改札ゲート５をどのような状態で運用するかゲート状態表示を行って改札ゲート５に対して運用開始コマンドを送信した後に動作状態要求コマンドを送信する（Ｓ７０６）。但し、システムの立ち上げ時には運用開始要求コマンドと共に、動作猶予時間、基本データ等を送信する。さらにゲート状態表示に合わせて、ゲートコントローラ６は「運用／停止」、「フラッパの強制解放」、「時計」、「集計」、「設定」、「猶予時間」等のソフトウエアボタン（以下単にボタンという）を表示している。
【００５８】
また、ステップＳ７０２でメモリカード１０の状態が不良又はステップＳ７０３でリフト情報が正しくないと判断したときは、処理の続行か又は処理停止かの入力を待ち（Ｓ７０７）、処理停止の入力があったときは電源断を待つ（Ｓ７０８）。また、ステップＳ７０６でゲート状態表示を行ったときは、動作状態要求コマンドに対応するデータの受信があるかどうかを判断する（Ｓ７０９）。ステップＳ７０９で改札ゲート５からのデータの受信があると判断したときは、ステータス、累積通過人数、プログラムバージョン、フラッパ状態等を受信して表示するデータ受信処理を行って（Ｓ７１０）、処理をステップＳ７０９に戻す。このデータ受信処理についてはフローチャートを用いて後述する。
【００５９】
また、ステップＳ７０９で改札ゲート５からのデータの受信がないと判断したときは、表示部に表示しているいずれかのソフトウエアボタンによるキー入力があるかどうかを判断する（Ｓ７１０）。ステップＳ７１０でいずれかのキーが入力されたときは、そのキーに対応する処理を行うタッチパネル処理を行う（Ｓ７１２）。このタッチパネル処理についてはフローチャートを用いて後述する。
【００６０】
さらに、ステップＳ７１１でキー入力がないと判定したときは、内蔵しているタイマーがタイムアップしたかどうかを判断する（Ｓ７１３）。ステップＳ７１３でタイムアップでないと判断したときは処理をステップＳ７０９に戻し、またタイムアップと判断したときは、動作状態確認コマンドを改札ゲート５に転送して動作状態を確認する動作状態確認処理を行って（Ｓ７１５）、処理をステップＳ７０９に戻す。
【００６１】
一方、改札ゲート５の改札機４の主制御部３８は、電源の投入に伴って、各部をチェックしてカウンタ等をクリアする初期設定を行う。そして、外部のゲートコントローラ６からのコマンド又はシステムリセットスイッチＳＷ、メンテナンススイッチの操作があるかどうかを判定し、ゲートコントローラ６からのコマンドが運用開始を示している場合は、ゲートコントローラ６から現在時間、及びリフト券カード１並びに一回券のリフト券カード８の基本データを受信して内部のメモリに設定し、以下に説明する通常処理を行う。また、いずれかのスイッチの操作があったときは、ゲートコントローラ６からのコマンドを受け付けて停止してスイッチ操作に基づく処理を優先させる。
【００６２】
本例では、ゲートコントローラ６が運用開始コマンドを送出した後に行う通常の運用処理を図８を用いて説明する。
【００６３】
主制御部３８は、非接触の検出装置１の人体検出センサＡ又はＢから人体検出信号Ａ又はＢの入力があるかどうかを待つ（Ｓ８０１）。ステップＳ８０１で人体検出信号Ａの入力があると判定したときは、非接触の検出装置１のアンテナコントローラ２１を用いてリフト券カード１の内部データを読み取らせて改札機４側に送出させ、内部データが正しく読み込まれたかどうかを判定する（Ｓ８０２）。ステップＳ８０２において、内部データが正しく読み込まれないと判定したときは、正しく内部データが読み込まれるまでリトライを繰り返す。このリトライは、最大３秒間である。
【００６４】
上述のデータ読込み処理を実行したにもかかわらず、前記所定時間に亘りデータ読込みに失敗すると、主制御部３８は、リフト券カードのデータ読取りに何等かの異常があると判断し、読取り異常処理（サブルーチン１、以下、ＳＵＢ１という。）を実行後にＳ８０１の処理に戻る。
【００６５】
このような処理は、磁気カードであるリフト券カード８がカードリーダ部３６に挿入された場合でも同様である。
【００６６】
また、ステップＳ８０２におけるデータ読込み処理において、リフト券カードのデータ読込みに成功すると、主制御部３８は、リフト券カードの内部データの解読を行う。また、一回券のリフト券カード８がカードリーダ部３６に挿入された場合は、カードリーダ部３６はこのリフト券カード８の内部データを主制御部３８に送出する。
【００６７】
次に、出力された内部データの券種コードが一回券又は通常のリフト券を示しているかどうかを判定する（Ｓ８０３）。
【００６８】
ステップＳ８０３において、一回券のリフト券カード８であると判定したときは、主制御部３８は、この１回券データの内部データとゲートコントローラ５から転送された一回券の基本データと比較する１回券データ比較処理（サブルーチンＳＵＢ２）を実行する。このとき、主制御部３８は、スピーカ２７から「一回券用のカードリーダに挿入指示のメーセージ」を発生させる。
【００６９】
次に、この比較結果に基づいてこの１回券が利用可能か否かの判定を行う（Ｓ８０４）。ステップＳ８０４における判定の結果、１回券が利用不可能であると判定されると、主制御部３８は、この１回券の異常の理由を表示させる等の異常状態に応じた処理を行う各種異常処理（サブルーチンＳＵＢ３）を実行し、この実行後にＳ８０１に戻る。この各種異常処理は図１２に示すように、スキー場又は会社コードの不一致、未有効開始日、無効券使用等の２０項目からなっており、いずれかの異常を検出したとき、ゲートコントローラ６に通知する。
【００７０】
ステップＳ８０４において利用可能な一回券と判定したときは、主制御部３８は、カードリーダ部３６に対してリフト券カード８を内部に挿入させる指令を送出して、カード収納部に投函させて回収する（Ｓ８０５）。
【００７１】
また、ステップＳ８０３で通常のリフト券カード１と判定されたときは、主制御部３８は、前回の処理においてリフト券カード１のデータ書込みが行われたか否かを判定する（Ｓ８０６）。ステップＳ８０６における書込み判定の結果、前回の一連の処理においてリフト券カード１の内部データ書込みが行われていないと判定すると、主制御部３８は、前回書込んだ内部データと今回読込んだ内部デ−タとを比較することにより、リフト券カード１の内部データは更新済みか否かの判定を行い（Ｓ８０７）、この判定の結果、リフト券カード１は前回において内部データを更新済みであると判定すると、主制御部３８は、フラッパ３を開放位置に駆動させる処理を行う。
【００７２】
ステップＳ８０６において書込み判定を行う趣旨は、一連の処理が正常に行われている場合には、前回の処理においてリフト券カード５の内部データ書込みが行われるのが通常であることを前提として、このステップＳ８０６により、一連の処理が通常状態にあるか、又は、通常状態にないのかのふるいわけをするためである。このステップＳ８０６乃至Ｓ８０７における一連の処理により、前回の処理の流れにおいてリフト券カード５の内部データ書込みが行われていないが、リフト券カード１の内部データは更新済みであると判定すると、主制御部１３は、再度のデータ更新は行わずに、フラッパ制御部３７に制御信号を送出してフラッパ３を開放位置に駆動させてスキーヤを通過させる。
【００７３】
従って、初心者のスキーヤなどが改札機４の通過に手間取って比較的長時間改札機４付近に滞っている間に、リフト券カード５が非接触の検出装置３と複数回にわたり内部データの受信を得たとしても、主制御部３８は、同一のリフト券カードに対して、初回の通信時には内部データの更新を行うものの再度の内部データ更新は行わない。
【００７４】
この結果、主制御部３８は、実際の搭乗回数に対応した度数分だけリフト券カード１より度数を差引くことが可能となる。このとき、改札機４は通過許可を知らせる緑ランプ灯３４を点灯させる。また、改札ゲート５の非接触の検出装置２と改札機４とはメカ的にも電気的にも分離されて非接触の検出装置２が改札機４の手前に、少しずれて配置され、かつ磁気反転表示器部３１が少し角度を有して設けられているので、磁気反転表示器３１に表示された残度数、残時間をスキーヤが一目で見ることができる。このため、後何回又は後何時間の滑降ができるかが分かる。
【００７５】
また、ステップＳ８０６における書込み判定の結果、前回の処理においてリフト券カード１の内部データ書込みが行われていると判定すると、又は、ステップＳ８０７における判定の結果、リフト券カード１は前回データ更新をしていないと判定すると、主制御部３８は、リフト券カード１より読込んだ基本データとゲートコントローラ６からの基本データと比較するデータ比較処理（サブルーチンＳＵＢ４）を実行し、この比較結果に基づいてリフト券カード１が利用可能か否かの判定を行う（Ｓ８０８）。
【００７６】
この判定の結果、リフト券カード１が利用不可であると判定されると、主制御部３８は、このリフト券カード１の異常理由を表示させる等の異常状態に応じた処理を行う各種異常処理（サブルーチンＳＵＢ５）を実行し、この実行後にＳ８０１に戻る。この各種異常処理は例えば図１２に示すように、スキー場又は会社コードの不一致、未有効開始日、無効券使用等の２０項目からなっており、いずれかの異常を検出したとき、ゲートコントローラ６に通知する。
【００７７】
さらに、ステップＳ８０８における判定の結果、リフト券カード１が利用可能であると判定されると、主制御部３８は、リフト券カード１の内部データの基本データである券種データ、スキー場コード、会社コード、並びに使用実績データである残り度数／残り時間等を書込み更新する後述のデータ書込み処理を実行（サブルーチンＳＵＢ６）し、この実行後に、主制御部３８は、サブルーチンＳＵＢ６におけるデータ書込みが成功したか否かの判定を行う（Ｓ８０９）。
【００７８】
この判定の結果、データ書込みが失敗したと判定されると、後述するサブルーチンＳＵＢ７の書込み異常処理を実行後にＳ８０１に戻る。なお、サブルーチンＳＵＢ６の内部データ書込み処理は、初回の内部データ書込みに失敗すると、ステップＳ８０１に戻って初めから処理を繰り返す。この繰り返しの回数は、この初回のデータ書込み処理を含んで、例えば３回を上限に繰返しデータ書込み処理が実行されるように設定する。
【００７９】
ステップＳ８０９で書込が済んだと判定したときは、主制御部３８は、フラッパ制御部３７に制御信号を送出してフラッパ３を開放位置に駆動させる処理を実行する（Ｓ８１０）。フラッパ３の開放位置への駆動後、主制御部３８は、退出検知センサＣよりの退出検知信号Ｃの入力を待つ（Ｓ８１１）。この退出検知信号Ｃが入力されると、つまり、退出検知センサＣがゲートよりの退場を検出すると、主制御部３８は、フラッパ３を閉止位置に駆動させる処理を実行（Ｓ８１２）後にステップＳ８０１に戻る。
次に、ゲートコントローラのデータ受信処理を図９及び図１０を用いて説明する。データ受信処理は、改札ゲート５の改札機４からの応答がエラー復帰かどうかを判定する（Ｓ９０１）。ステップＳ９０１でエラー復帰を示しているときは、このエラー復帰を送信した改札ゲート５の改札機４に対してエラー状態解除コマンドを転送する（Ｓ９０２）。
【００８０】
また、ステップＳ９０１でエラー復帰ではないと判定したときは、通過情報の受信かどうかを判断し（Ｓ９０３）、通過情報の受信と判断したときは、この通過情報が示す通過人数及び券種情報を表示する（Ｓ９０４）。また、ステップＳ９０３で通過情報ではないと判断したときは、エラー通知の受信かどうかを判断し（Ｓ９０５）、エラー通知であると判断したときは、このエラー通知に応じたエラーメッセージを表示部に表示する（Ｓ９０６）。
【００８１】
ステップＳ９０５でエラー通知ではないと判断したときは、ゲート状態要求応答の受信かどうかを判定する（Ｓ９０７）。このゲート状態要求応答は、エラーコード、累積通過人数、フラッパ状態等である。
【００８２】
次に、ステップＳ９０７でゲート状態要求応答と判断したときは、このゲート状態要求応答が示す通過人数を表示して本処理を出る（Ｓ９０８）。
【００８３】
また、ステップＳ９０７でゲート状態要求応答ではないと判定したときは、動作確認応答かどうかを判定し（Ｓ９０９）、動作確認応答ではないと判定したときは、運用開始応答の受信かどうかを判断する（Ｓ９１０）。ステップＳ９１０で運用開始応答ではないと判断したときは、運用停止応答かどうかを判断し（Ｓ９１１）、運用停止応答ではないと判断したとき稼働データ要求応答の受信かどうかを判断する（Ｓ９１２）。また、ステップＳ９０９で動作確認応答であると判定するか、又はステップＳ９１０で運用開始応答と判定するか、ステップＳ９１１で運用停止応答と判定したときは、これらのステータスを表示部に表示して本処理を出る。
【００８４】
また、ステップＳ９１２で稼働データ要求応答ではないと判断したときは、図１０に示すように積算開始通知かどうかを判定する（Ｓ１００１）。ステップＳ１００１で積算開始通知と判断したときは、積算モード表示を行って（Ｓ１００２）、本処理を出る。
【００８５】
また、ステップＳ１００１で積算開始通知ではないと判断したときは積算中止通知かどうかを判断する（Ｓ１００３）。ステップＳ１００３で積算中止と判断したときは、通過人数を表示して（Ｓ１００４）、本処理を出る。
【００８６】
次に、タッチパネル処理を図１１を用いて説明する。タッチパネル処理は、表示部の運用／停止ボタンが押されたかどうかを判断し（Ｓ１１０１）、運用／停止ボタンが押されたときは、指定の改札ゲート５に対して運用／停止要求コマンドを送信して（Ｓ１１０２）、本処理を出る。また、ステップＳ１１０１で運用／停止ボタンではないと判断したときは、フラッパを強制解放させる強制解放ボタンがおされたかどうかを判断し（Ｓ１１０３）、強制解放ボタンが押されたときは強制解放の要求コマンドを送信して（Ｓ１１０４）、本処理を出る。
【００８７】
また、ステップＳ１１０３で強制解放ではないと判断したときは、時計ボタンがおされたかどうかを判断し（Ｓ１１０５）、時計ボタンが押されたときは、西暦、月、日、時刻を入力させて改札ゲートに転送して設定させる時計設定処理を行って（Ｓ１１０６）、本処理を出る。
【００８８】
ステップＳ１１０５で時計ボタンではないと判断したときは、猶予時間ボタンが押されたかどうかを判断し（Ｓ１１０７）、猶予ボタンが押されたときは、猶予時間を入力させ、確定ボタンが押されたときにこの猶予時刻を改札ゲート５に転送させる猶予時間処理を行って（Ｓ１１０８）、本処理を出る。
【００８９】
また、ステップＳ１１０７で猶予時間ボタンではないと判断したときは、集計ボタンの選択かどうかを判断し（Ｓ１１０９）、集計ボタンと判断したときは集計処理を実行して（Ｓ１１１０）、本処理を出る。この集計処理は、集計ボタンが押されたときに起動し、入力された改札ゲートに対して集計コマンドを送信し、転送されてきた改札ゲート５の現在までの会社毎の券種の通過人数をメモリカード１０に書き込む。また、集計処理は、ゲートコントローラ６に接続されているいずれかの改札ゲート５が運用を停止していることが条件である。
【００９０】
また、ステップＳ１１０９で集計ボタンではないと判定したときは、設定ボタンが押されたかどうかを判定し（Ｓ１１１１）、設定ボタンが押されたときはメモリカード１０のプログラムを改札ゲート５に転送するダウンロード処理を行って（Ｓ１１１２）、本処理を出る。
【００９１】
次に、設定ボタンではないと判断したときは、エラーリセットボタンが押されたかどうかを判断し（Ｓ１１１３）、エラーリセットボタンが押されたときは、入力された改札ゲートに対してエラーリセットを転送するエラーリセット処理を行って（Ｓ１１１４）、本処理を出る。
【００９２】
さらに、ステップＳ１１１３でエラーリセットボタンではないと判断したときは積算ボタンかどうかを判断し（Ｓ１１１５）、積算ボタンが押されたと判断したときは、改札ゲートに対して積算コマンドを転送する積算処理を行って（Ｓ１１６）、本処理を出る。
【００９３】
なお、上記実施の形態では、スキー場にもちいるリフト券カードの内部データを読み込んで改札する改札機としたが、他の非接触のＩＣカードの改札業務に適用させてもよい。
【００９４】
【発明の効果】
請求項１によれば、被検出体が改札機に到達する前に改札の結果を被検出体に知らせることができると共に、被検出体と改札機とは所定の間隔を有しているので検出タイミングに合わせてゲートの開閉タイミングを被検出体の通過に合わせることができるという効果が得られている。
【００９５】
また、改札ゲート側からゲートコントローラに改札状況を転送し、ゲートコントローラはこの改札状況を表示するので、係員は常に複数の改札ゲートの状況を把握できるという効果が得られている。
【００９６】
請求項２によれば、係員が改札ゲートに待機しなくとも、被検出体の通過又は阻止をスムーズに行うことができるという効果が得られている。
【００９７】
請求項３によれば、被検出体が通過する経路に対して磁気表示器部を所定角度動かすだけで被検出体は複数の磁気表示器を容易に見ることができるという効果が得られている。
【００９８】
請求項４によれば、被検出体は非接触の検出装置の位置に来て非接触の記録媒体の内部データを読み取らせると、磁気表示器部の表示内容が容易に分かるという効果が得られている。
【００９９】
また、改札機は、阻止棒と非接触の検出装置帽との間隔が被検出体の横幅にされているので、通過許可とした被検出体を阻止棒の手前に一つだけ位置させることができるという効果が得られている。
【０１００】
請求項５によれば、メモリカードに使用設備又は当日の業務内容に応じたプログラムを記録した場合は、改札ゲートに対して使用設備又は当日の業務内容に適した制御を行わせることができるという効果が得られている。
【０１０１】
請求項６によれば、複数の改札ゲートの内で業務を停止した改札ゲートのみに通過数を要求するので、改札ゲート毎の当日の通過数を正確に把握できるという効果が得られている。
【０１０２】
また、改札ゲートからの通過数は会社毎に、かつ券種毎に転送されるので、ゲートコントローラの係員は、複数の管理会社が複数の改札ゲートを管理していても、改札ゲート毎に、管理会社毎の通過数及びその券種が分かるという効果が得られている。
【０１０３】
請求項７によれば、改札ゲートから離れた地点にあるゲートコントローラから強制的に通過を許可できるので、特別に通過を許可しなければならない作業員等を通過させることができるという効果が得られている。
【図面の簡単な説明】
【図１】  本実施の形態の改札システムの概略構成図である。
【図２】  改札システムの改札ゲートの平面図である。
【図３】  改札システムの改札ゲートの側面図である。
【図４】  改札システムの改札ゲートの通過方向見たときの正面図である。
【図５】  リフト券カードの内部データを説明する説明図である。
【図６】  ゲートコントローラの電源投入時の概略フローチャートである。
【図７】  ゲートコントローラの日常処理を説明するフローチャートである。
【図８】  改札機の概略動作を説明するフローチャートである。
【図９】  ゲートコントローラのデータ受信処理を説明するフローチャートである。
【図１０】  ゲートコントローラのデータ受信処理を説明するフローチャートである。
【図１１】    ゲートコントローラのタッチパネル処理を説明するフローチャートである。
【図１２】  エラー応答の種類を説明する説明図である。
【符号の説明】
１  リフト券カード
２  非接触の検出装置
３  フラッパ
４  改札機
５  改札ゲート
６  ゲートコントローラ
１０  メモリカード
【図１】
0003916706.tif 000002
【図２】
0003916706.tif 000003
【図３】
0003916706.tif 000004
【図４】
0003916706.tif 000005
【図５】
0003916706.tif 000006
【図６】
0003916706.tif 000007
【図７】
0003916706.tif 000008
【図８】
0003916706.tif 000009
【図９】
0003916706.tif 000010
【図１０】
0003916706.tif 000011
【図１１】
0003916706.tif 000012
【図１２】
0003916706.tif 000013